(57)【特許請求の範囲】
【請求項１】
複数の側面漏光型の光ファイバを緯糸として織り込んで形成され、経糸に沿う一端縁を入射端縁とする光ファイバ織物と、
基部から前方に向けてプラグ突片を突設した表裏カバーを接合して形成され、前記光ファイバ織物の入射端縁部に装着される織物保持部と、
前記織物保持部に連結可能で、連結状態において前記光ファイバ織物の入射端縁に入射する発光光源を保持する光源保持部とを有し、
前記表裏カバーには、前記光ファイバ織物の幅寸法にほぼ一致する幅寸法を備えて前後端に開放される織物収容凹部が形成されるとともに、
前記織物保持部は、ファイバ織物の前端部を織物収容凹部に保持した表裏カバーのいずれか一方に他方のカバーを表裏方向に重ね合わせて接合して形成され、
かつ、前記光源保持部には、前記織物保持部の表裏カバーのプラグ突片が重合して形成されるプラグ部が嵌合するソケット開口が開設される発光表示装置。
【請求項２】
前記光源保持部には、前記光ファイバ織物の入射端縁に沿って複数の発光光源が並列に保持される請求項１記載の発光表示装置。
【請求項３】
前記光源保持部の発光光源と光ファイバ織物の入射端縁との間には光ファイバ織物の入射端縁の長さにほぼ等しい長さを有し、凸部を発光光源に向けるとともに、長手方向を光ファイバ織物の入射端縁に沿って位置させた平凸シリンドリカルレンズが介装される請求項１または２記載の発光表示装置。
【請求項４】
前記発光光源は、光軸が前記光ファイバの線長方向に対して所定の角度で交差する位置に配置されるとともに、
前記発光光源と光ファイバ織物の入射端縁との間に発光光源からの照射光の光路を光ファイバの線長方向に変更する光路変更用光学素子が配置される請求項１、２または３記載の発光表示装置。
【請求項５】
前記発光光源には、多色発光ダイオードが使用される請求項１から４のいずれに記載の発光表示装置。
【発明の詳細な説明】
【技術分野】
【０００１】
本発明は、発光表示装置に関するものである。
【背景技術】
【０００２】
側面漏光型の光ファイバを織り込んだ発光表示装置としては、特許文献１記載のものが知られている。
【０００３】
この従来例において、発光表示装置は、光ファイバを含む緯糸と経糸とを織り込んだ光ファイバ織物と、光ファイバ織物の光ファイバに光を照射する光照射装置とから構成される。
【０００４】
光ファイバに光照射装置からの照射光を導入するために、光ファイバは織物端部において縫製せずに一束に収束され、この収束端に光照射装置が連結される。
【先行技術文献】
【特許文献】
【０００５】
【特許文献１】特開２０１６-３７６８８号公報
【発明の概要】
【発明が解決しようとする課題】
【０００６】
しかし、上述した従来例において、各光ファイバは照射端において束ねられるために、ほぼ全体の光ファイバは小さな屈曲角度で曲げられるために、曲率部での漏光が大きくなり、表示部からの出射量が小さくなって暗くなるという問題がある。
【０００７】
本発明は、以上の欠点を解消すべくなされたものであって、表示部からの出射光量を大きくすることのできる発光表示装置の提供を目的とする。
【課題を解決するための手段】
【０００８】
本発明によれば上記目的は、
複数の側面漏光型の光ファイバを緯糸として織り込んで形成され、経糸に沿う一端縁を入射端縁１とする光ファイバ織物２と、
基部１５ａ、１５ｂから前方に向けてプラグ突片１６ａ、１６ｂを突設した表裏カバー３ａ、３ｂを接合して形成され、前記光ファイバ織物２の入射端縁部に装着される織物保持部３と、
前記織物保持部３に連結可能で、連結状態において前記光ファイバ織物２の入射端縁１に入射する発光光源４を保持する光源保持部５とを有し、
前記表裏カバー３ａ、３ｂには、前記光ファイバ織物２の幅寸法にほぼ一致する幅寸法を備えて前後端に開放される織物収容凹部１７ａ、１７ｂが形成されるとともに、
前記織物保持部３は、ファイバ織物２の前端部を織物収容凹部１７ａ、１７ｂに保持した表裏カバー３ａ、３ｂのいずれか一方に他方のカバーを表裏方向に重ね合わせて接合して形成され、
かつ、前記光源保持部５には、前記織物保持部３の表裏カバー３ａ、３ｂのプラグ突片１６ａ、１６ｂが重合して形成されるプラグ部１８が嵌合するソケット開口１３が開設される発光表示装置を提供することにより達成される。
【０００９】
発光表示装置は、適宜の文字、模様等からなる表示部８が形成される光ファイバ織物２を保持する織物保持部３と、織物保持部３に連結される光源保持部５とを有し、光ファイバ織物２は、緯糸に直交する方向、すなわち、経糸に沿う一側縁が発光光源４からの照射光が導光される入射端縁１となるように、織物保持部３に保持される。
【００１０】
光源保持部５には、織物保持部３に連結された光ファイバ織物２の入射端縁１を照射する発光光源４が保持されており、発光光源４の照射光は、光ファイバ織物２に緯糸として編み込まれる光ファイバの入射端から入射される。
【００１１】
光ファイバ織物２の光ファイバの入射端が束ねられることなく織物保持部３に並列保持される本発明において、光ファイバの過少屈曲による漏光が発生せず、表示部８からの出射量を大きくすることができる。
【００１２】
また、光ファイバ織物２は、織物の状態で織物保持部３に保持されるために、光ファイバの入射端は整列配置されるために、入射端の方向の乱れによる入射効率の変化が発生することなく、入射効率を全光ファイバで均等にすることが可能になる上に、光ファイバ織物２の端部に縫製されない部位を形成する必要がないために、製造効率も向上する。
【００１３】
発光光源４は、光ファイバ織物２の入射端縁１への照射が可能であれば、単一でも複数でも問わないが、光ファイバ織物２の入射端縁１に沿って複数の発光光源４を並列に保持させると、各光ファイバへの入射光量を大きくすることができ、表示部８の照度を高めることができる。
発光光源４を複数使用する場合、異なった色を発色する発行光源４を並べると、表示部８を帯状に発行させることが可能になる。
【００１４】
さらに、光源保持部５の発光光源４と光ファイバ織物２の入射端縁１との間に、光ファイバ織物２の幅方向寸法にほぼ等しい長さの平凸シリンドリカルレンズ６を、凸部が発光光源４に向けられ、長手方向が光ファイバの並列方向に合致させた姿勢で配置すると、各発光光源４からの発光光は、一直線上に集光され、この直線上に光ファイバの入射端列を位置させると、光ファイバの受光効率が向上する。
【００１５】
さらに、
前記発光光源４は、光軸が前記光ファイバの線長方向に対して所定の角度で交差する位置に配置されるとともに、
前記発光光源４と光ファイバ織物２の入射端縁との間に発光光源４からの照射光の光路を光ファイバの線長方向に変更する光路変更用光学素子７が配置されるように構成することもできる。
【００１６】
また、発光光源４に多色発光ダイオードを使用し、適宜のコントローラにより発光色を制御すると、表示部８の色彩を種々変化させることができる。
【発明の効果】
【００１７】
本発明によれば、光ファイバへの導光時の漏光光量を減らし、表示部における発光量を増加させることができる。
【図面の簡単な説明】
【００１８】
【図１】本発明を示す正面図である。
【図２】織物保持部と光源保持部を示す図で、（ａ）は連結前、（ｂ）は連結状態を示す図である。
【図３】光源保持部を示す図で、（ａ）は連結前の表裏ケースを示す図、（ｂ）は（ａ）の３Ｂ-３Ｂ線断面図、（ｃ）は表裏ケースを連結した状態の（ａ）の３Ｃ-３Ｃ線断面図である。
【図４】織物保持部を示す図で、（ａ）は連結前の表裏ケースを示す図、（ｂ）は（ａ）の４Ｂ-４Ｂ線断面図、（ｃ）は（ａ）の４Ｃ-４Ｃ線断面図、（ｄ）は（ａ）の４Ｄ-４Ｄ線断面図である。
【図５】織物保持部の断面図で、（ａ）は表裏ケースを連結した状態の図４（ａ）の４Ｃ-４Ｃ線断面図、（ｂ）は表裏ケースを連結した状態の図４（ａ）の４B-４Ｂ線断面図である。
【図６】織物保持部と光源保持部との連結状態を示す断面図で、（ａ）は図２（ｂ）の６Ａ-６Ａ線断面図、（ｂ）は図２（ｂ）の６Ｂ-６Ｂ線断面図である。
【図７】本発明の他の実施の形態を示す図で、（ａ）は織物保持部と光源保持部との連結状態の表ケースを取り外して示す図、（ｂ）は図６（ｂ）に対応する図である。
【図８】本発明のさらに他の実施の形態を示す図である。
【発明を実施するための形態】
【００１９】
図１、２に示すように、発光表示装置は、光ファイバ織物２と、光ファイバ織物２を保持する織物保持部３と、後述する発光光源４を保持し、上記織物保持部３に連結された状態で光ファイバ織物２に発光光源４からの照射光を光ファイバ織物２に導光する光源保持部５とを有する。
【００２０】
光ファイバ織物２は、側面漏光型の光ファイバとこれに並行する普通糸を緯糸とし、これらに直交する普通糸を経糸として織物状態に織り上げて形成され、普通糸により光ファイバを適宜覆い隠し、光ファイバの一部を例えば、図示の例のように、「ＴＯＫＹＯ」の文字等が形成されるように露出させることにより表示部８とされる。
【００２１】
図３に示すように、上記光源保持部５は表カバー５ａと裏カバー５ｂとを表裏方向に重ね合わせるようにして接合して形成される。重合位置を決定するために、表裏カバー５ａ、５ｂには、位置決めボス５ｃと、位置決めボス５ｃが嵌合する位置決め孔５ｄが各々設けられる。
【００２２】
また、表カバー５ａの一端部（左端）と裏カバー５ｂの他端部（右端）には連結用支持部５ｅが設けられており、各連結用支持部５ｅに、上記織物保持部３との連結に使用される連結孔５ｆが開設される。
【００２３】
さらに、表裏カバー５ａ、５ｂの前端縁部（本明細書において、図１における左側を「前方」、右側を「後方」とする。）には、プレート嵌合溝９が各々対向位置に凹設されており、重合状態で各々のプレート嵌合溝９に上下縁が嵌合するように、光源保持プレート１０が固定される。光源保持プレート１０には光源保持孔１０ａが貫通状に開設されており、各光源保持孔１０ａに発光光源４としての砲弾型発光ダイオードが挿入、固定される。
【００２４】
なお、発光光源４として、表面実装型のＬＥＤを使用する場合には、上記光源保持プレート１０を実装基板により形成することができる。
【００２５】
また、表裏カバー５ａ、５ｂの前端縁部には、上記砲弾型発光ダイオードを位置決めするための位置決め突部１１が所定間隔を置いて突設される。
【００２６】
さらに、表裏カバー５ａ、５ｂの後端縁部にはソケット凹部１２が凹設されており、図３（ｃ）に示すように、表裏カバー５ａ、５ｂを表裏方向に連結した状態で発光光源４に正対するソケット開口１３が形成される。
【００２７】
以上のように形成される光源保持部５には、図１に示すように、電源１４ａ、制御部１４ｂを備えたコントローラ部１４が接続され、発光ダイオードのリード４ａに接合される。本例において発光光源４には多色発光ダイオードが使用されており、制御部１４ｂにより制御することにより、発光色を例えば所定時間間隔で変化させることができる。
【００２８】
一方、織物保持部３は、図４に示すように、表裏カバー３ａ、３ｂを表裏方向に重ね合わせて接合して形成される。上述した光源保持部５と同様に、表裏カバー３ａ、３ｂには位置決めボス３ｃと、位置決めボス３ｃが嵌合する位置決め孔３ｄが各々設けられる。
【００２９】
織物保持部３の表裏カバー３ａ、３ｂには、基部１５ａ、１５ｂから前方に向けてプラグ突片１６ａ、１６ｂが設けられるとともに、表カバー３ａの基部１５ａ、およびこの基部１５ａから突出するプラグ突片１６ａの裏面と、裏カバー３ｂの基部１５ｂ、およびプラグ突片１６ｂの表面には、表裏カバー３ａ、３ｂの前端、および後端に開放される織物収容凹部１７ａ、１７ｂが凹設される。
【００３０】
各プラグ突片１６ａ、１６ｂは表裏カバー３ａ、３ｂが積層された状態で上記光源保持部５のソケット開口１３に嵌合可能な幅、および厚さ方向寸法を有するプラグ部１８となり、各織物収容凹部１７ａ、１７ｂの幅寸法は上記光ファイバ織物２の幅寸法にほぼ一致する寸法に形成される。
【００３１】
また、織物保持部３の表裏カバー３ａ、３ｂには上記光源保持部５と同様に連結用支持部３ｅが設けられ、各連結支持部３ｅに連結孔３ｆが開設される。図６に示すように、プラグ部１８をソケット開口１３に嵌合させた状態で、織物保持部３の表カバー３ａの左端に形成される連結用支持部３ｅは光源保持部５の裏カバー５ｂに形成される連結用支持部５ｅ上に保持されるとともに、裏カバー３ｂの連結用支持部３ｅは光源保持部５の表カバー５ａの連結用支持部５ｅを裏面側から支える位置に配置される。
【００３２】
織物保持部３への光ファイバ織物２の保持は、表裏カバー３ａ、３ｂのいずれかの織物収容凹部１７ａ、１７ｂに先端を表裏カバー３ａ、３ｂの前端に揃えて保持した後、反対側のカバーを位置決めボス３ｃと位置決め孔３ｄを嵌合させて重合して固定して行われる。
【００３３】
このようにして光ファイバ織物２を保持した織物保持部３のプラグ部１８を光源保持部５のソケット開口１３に嵌合させた後、連結孔３ｆ、５ｆ内に挿通されるビス、ナット等により双方を連結させると、図６に示すように、光ファイバ織物２の入射端縁１は光源保持部５内の各発光光源４の光軸を含む面内に整列する状態となる。この状態で発光光源４を発光させると、照射光は光ファイバ織物２の光ファイバ内に導光され、表示部８が発光する。
【００３４】
この場合、発光光源４の発色を時間の経過とともに変化させたたり、あるいは各々の発光光源４の発色を異ならせるように制御すると、時間の経過とともに表示部８の色を変えたり、あるいは表示部８を異なった色彩の帯として表示することができる。
【００３５】
以上においては、発光光源４の照射光を直接光ファイバの入射端に導入する場合を示したが、図７に示すように、左右方向に長い平凸シリンドリカルレンズ６を凸面が発光光源４側を向く姿勢で発光光源４と光ファイバ織物２の端縁との間に介装することができる。望ましくは光ファイバ織物２の端縁は、平凸シリンドリカルレンズ６の後側焦点位置近傍に配置すると、発光光源４からの照射光を光ファイバ織物２の端縁に集光させることができるために、導光光量が増加する。
【００３６】
また、以上においては入射端を発光光源４の光軸方向に配置する場合を示したが、図８に示すように、光ファイバ織物２を発光光源４の光軸方向に合致させることができない場合には、光ファイバ織物２の端縁と発光光源４との間に光路変更用光学素子７を介装させることができる。
【００３７】
図８において、光路変更用光学素子７としてミラーが使用されており、発光光源４からの照射光はミラーにより屈折させられて光ファイバ織物２の入射端に導かれる場合を示しているが、光路変更用光学素子７としては、この他に、プリズム等を使用することが可能であり、発光光源４の照射方向と光ファイバ織物２の入射端との角度は９０度以外の適宜角度に設定することができる。  
【符号の説明】
【００３８】
１        入射端縁
２        光ファイバ織物
３        織物保持部
４        発光光源
５        光源保持部
６        平凸シリンドリカルレンズ
７        光路変更用光学素子
【図１】
0006970979.tif 000002
【図２】
0006970979.tif 000003
【図３】
0006970979.tif 000004
【図４】
0006970979.tif 000005
【図５】
0006970979.tif 000006
【図６】
0006970979.tif 000007
【図７】
0006970979.tif 000008
【図８】
0006970979.tif 000009